(57)【要約】【課題】  食器が少量の場合、左右に配置される洗浄ノズルのうち一方の洗浄ノズルからの洗浄水の供給を停止し、片方の洗浄ノズルで洗浄する片側洗浄モードを設けることにより、洗浄水の使用量を低減することができる食器洗い乾燥機を提供すること。【解決手段】  本体ケースと、扉と、被洗浄物を収納する洗浄槽と、該洗浄槽内の左右にそれぞれ設けられ洗浄水を噴射するための複数の洗浄ノズルと、洗浄水を給排水するための給排水通路と、必要に応じて洗浄水を加熱するための加熱手段と、乾燥空気を供給するためのファンと、各種操作スイッチが配置される操作部とを備えてなる食器洗い乾燥機において、全量洗浄モードと片側洗浄モードを設け、全量洗浄モード時には、左右の洗浄ノズルから洗浄水を噴射させ、片側洗浄モード時には、一方の洗浄ノズルから洗浄水を噴射させ、他方の洗浄ノズルは休止させる食器洗い乾燥機。【選択図】        図２
2005288047.tif 000002
【特許請求の範囲】
【請求項１】
本体ケースと、扉と、被洗浄物を収納する洗浄槽と、該洗浄槽内の左右にそれぞれ設けられ洗浄水を噴射するための複数の洗浄ノズルと、洗浄水を給排水するための給排水通路と、必要に応じて洗浄水を加熱するための加熱手段と、乾燥空気を供給するためのファンと、各種操作スイッチが配置される操作部とを備えてなる食器洗い乾燥機において、全量洗浄モードと片側洗浄モードを設け、全量洗浄モード時には、前記左右の洗浄ノズルから洗浄水を噴射させ、片側洗浄モード時には、一方の洗浄ノズルから洗浄水を噴射させ、他方の洗浄ノズルは休止させることを特徴とする食器洗い乾燥機。
【請求項２】
すすぎ工程時には、休止側の洗浄ノズルからも洗浄水を噴射させることを特徴とする請求項１記載の食器洗い乾燥機。
【請求項３】
前記ファンは、片側洗浄部側に設けられることを特徴とする請求項１、２記載の食器洗い乾燥機。
【請求項４】
前記洗浄槽の下方に設けられる排水口は、片側洗浄部側に設けられることを特徴とする請求項１ないし３記載の食器洗い乾燥機。
【発明の詳細な説明】
【技術分野】
【０００１】
本発明は、食器洗い乾燥機に関し、特に、全量洗浄と片側洗浄とを切り換え可能な食器洗い乾燥機に関するものである。
【背景技術】
【０００２】
近時、食器洗い乾燥機の需要が増え、それにつれて多くの機能が付加されるようになり、効率的な食器の洗浄及び乾燥ができる等、食器洗い乾燥機は、使い勝手の良い製品の一つとして広く利用されている。
【０００３】
一方、購買者は、使い勝手がよいという機能の面は勿論のこと、同じ機能を有する製品であれば、少しでも安価で且つ維持コストの安いものを求める傾向にあり、食器洗い乾燥機においても維持コストをいかに低減するかは、喫緊な課題になっている。
【０００４】
従来の食器洗い乾燥機を図１３に基づいてその概略を説明する。食器洗い乾燥機１は、図に示すように、外壁を形成する本体ケース２と、該本体ケース２の側面部に設けられる扉３等からなる。本体ケース２内には、洗浄槽４が形成されるとともに、該洗浄槽４内にはその上下にそれぞれ下食器かご５及び上食器かご６が収納自在に設けられる。
【０００５】
前記下食器かご５及び上食器かご６の下方には、それぞれ下洗浄ノズル７及び上洗浄ノズル８が左右に１つずつ設けられている。また、洗浄槽４の下部には、貯留槽９が設けられ、洗浄及びすすぎ工程の際、一定量の水が貯留され、貯留された水により食器の洗浄乃至すすぎが行われる。
【０００６】
符号１０は、洗浄ポンプであり、貯留槽９の水を下給水通路１１及び上給水通路１２を介して左右２つの下洗浄ノズル７及び同じく左右２つの上洗浄ノズル８に送り、これら下洗浄ノズル７及び上洗浄ノズル８から下食器かご５及び上食器かご６に入れられる各種食器に貯留槽９の水を噴射し洗浄する。
【０００７】
洗浄後は、自動的にすすぎ工程に切り換えられ、数回のすすぎ工程が繰り返された後、停止される。なお、引き続いて乾燥モードを選択している場合には、図示しない送風ファンが駆動され、貯留槽９内に乾燥空気を送ることにより内部の各種食器を乾燥させる（例えば、特許文献１参照）。
【０００８】
ところで、従来の食器洗い乾燥機は、５、６人の家族構成を想定しており、その分の食器を洗い乾燥するのに適した容量等を有している。そのため、その分に適した量の水を洗浄槽４内に入れて用いていた。ところが、処理すべき食器が半分以下の少ないときもあり、このような食器が少量の場合、それに応じて洗う水の量は少なくてもよいところ、従来の食器洗い乾燥機は、左右方向に設けられる洗浄ノズルを使用して食器を洗浄するものであるため、例え少量の食器であっても貯留槽９内には規定の量の水を入れ、その規定量の水で洗浄していた。そのためそれだけ維持コストが嵩むという問題を有していた。
【特許文献１】特開平２００２−５３２
【発明の開示】
【発明が解決しようとする課題】
【０００９】
本発明の目的は、従来の問題を解決することであり、詳細には、食器が少量の場合、左右に配置される洗浄ノズルのうち一方の洗浄ノズルからの洗浄水の供給を停止し、片方の洗浄ノズルで洗浄する片側洗浄モードを設けることにより、洗浄水の使用量を低減することができる食器洗い乾燥機を提供することである。
【課題を解決するための手段】
【００１０】
上記目的を達成するため、本願発明は以下の構成を採用する。
【００１１】
請求項１に係る発明では、本体ケースと、扉と、被洗浄物を収納する洗浄槽と、該洗浄槽内の左右にそれぞれ設けられ洗浄水を噴射するための複数の洗浄ノズルと、洗浄水を給排水するための給排水通路と、必要に応じて洗浄水を加熱するための加熱手段と、乾燥空気を供給するためのファンと、各種操作スイッチが配置される操作部とを備えてなる食器洗い乾燥機において、全量洗浄モードと片側洗浄モードを設け、全量洗浄モード時には、前記左右の洗浄ノズルから洗浄水を噴射させ、片側洗浄モード時には、一方の洗浄ノズルから洗浄水を噴射させ、他方の洗浄ノズルは休止させる構成。
【００１２】
そしてこのような構成により、食器が少量の場合には、片方の洗浄ノズルで洗浄することになり、洗浄水の循環量は少なくなる。また、貯水量が同じなら、循環量は増へ、その結果、洗浄力は高まる。
【００１３】
請求項２に係る発明では、すすぎ工程時には、休止側の洗浄ノズルからも洗浄水を噴射させる構成。このような構成により、洗浄槽の全内壁面は常にきれいになる。
【００１４】
請求項３に係る発明では、前記ファンは、片側洗浄部側に設けられる構成。そしてこのような構成により、 片側洗浄時に食器かごに入れられた食器は、より強い送風により集中的に乾燥される。
【００１５】
請求項４に係る発明では、前記洗浄槽の下方に設けられる排水口は、片側洗浄部側に設けられる構成。このような構成により、貯留槽の水は短時間で循環されるようになる。
【発明の効果】
【００１６】
請求項１に係る発明では、全量洗浄モードと片側洗浄モードを設け、全量洗浄モード時には、左右の洗浄ノズルから洗浄水を噴射し、片側洗浄モード時には、一方の洗浄ノズルから洗浄水を噴射するとともに、他方の洗浄ノズルを休止させることにより、食器が少量の場合、片方の洗浄ノズルで洗浄することになり、洗浄水の循環量を少なくすることができ、それだけ使用する水量を低減することができる。また、貯水量が同じなら、循環量を増やすことができ、洗浄ノズルからの噴射力を大きくすることができるため、洗浄力を高めることができる。
【００１７】
請求項２に係る発明では、すすぎ工程時に、休止側の洗浄ノズルからも洗浄水を噴射させることにより、請求項１に係る発明の効果に加え、例え片側洗浄であっても洗浄後においては、洗浄槽内は全面に亘って洗剤及び残菜等が付着することになるが、このような構成により、洗浄槽の全内壁面をきれいに洗浄することができる。さらに食器のすすぎ工程時間を短くすることができるとともに、且つすすぎ効果を向上することができる。
【００１８】
請求項３に係る発明では、乾燥工程時に用いる送風ファンを片側洗浄部側に設けることにより、請求項１、２に係る発明の効果に加え、特に使用した片側洗浄部側により強い送風を集中的に供給することができるため、該箇所を効率的、且つ短時間で乾燥することができる。
【００１９】
請求項４に係る発明では、洗浄槽の下方に設けられる排水口を片側洗浄部側に設けることにより、請求項１ないし３に係る発明の効果に加え、貯留槽の水を短時間で循環させることができるため、使用水量をさらに低減することができる。
【実施例１】
【００２０】
図１〜図５に本発明を適用した食器洗い乾燥機を示し、図１にその正面図を示し、図２に図１のＡ−Ａ線断面図を示し、図３に開閉弁近傍の拡大断面図を示し、図４に扉のない状態の正面図を示し、図５に洗浄槽の一部平面図を示す。以下、図１の左側を左方、右側を右方と呼び、その上側を上方、下側を下方と呼び、その紙面と垂直な手前側を前方、その反対側を後方と呼ぶ。
【００２１】
食器洗い乾燥機２０は、外郭を本体ケース２１と扉２２とから形成される。本体ケース２１は、前方側を開口した縦長の矩形状の中空体からなり、その下面には脚２３が取り付けられる。前記扉２２は、本体ケース２１の前方側の開口を開閉するためのもので、図２に示すように下部に設けられるヒンジ２４を支点にしてその上端が下方に回動し、解放時には略水平状態になる。そして、その開放は、図１に示すようにワンプッシュボタン２５を押すことにより図示しないバネの力により行われる。なお、扉は前方側に開くものを示すが、左右に開くものであっても良い。
【００２２】
本体ケース２１内には、洗浄槽２６が配設されるとともに、該洗浄槽２６の下方には、洗浄ポンプ４０等が配置される機械室２７が形成される。洗浄槽２６は、前方側を開口し、本体ケース２１より若干小さな縦長の矩形状の中空体からなり、その前方側の開口は、本体ケース２１の前方側の開口端に一体に取り付けられ、扉２２により開閉される。
【００２３】
また、洗浄槽２６内の左右側には、ほぼ対称に各種洗浄ノズルが取り付けられる。即ち、洗浄槽２６内の下方には、図４及び図５に示すようにその左右側に、左下洗浄ノズル２９及び右下洗浄ノズル３０がそれぞれ設けられる。左下洗浄ノズル２９及び右下洗浄ノズル３０は同じもので、上面に複数のノズル口２８を有し、水が噴出される際の反力により回転し、ノズル口２８から噴出される洗浄水を、後記の下段に設けられる食器かご内の食器の下側から吹き付け食器を洗浄する。
【００２４】
また、洗浄槽２６内の後方側である背面には、図４に示すようにその左右側に、左背面ノズル３１、右上背面ノズル３２及び右下背面ノズル３３がそれぞれ設けられる。左背面ノズル３１、右上背面ノズル３２及び右下背面ノズル３３はほぼ同じもので、その前方側に複数のノズル口２８を有し、ノズル口２８から噴出される洗浄水を、後記の上下段に設けられる食器かご内の食器の背面側から吹き付けることにより食器を洗浄する。なお、左側のノズルを１個、右側のノズルを２個として示したが、左右同数にしても良いし、片側洗浄モード時に使われる左側のノズルを右側より多くしても良い。
【００２５】
さらに、洗浄槽２６内の上方には、図４に示すようにその左右側に、左上洗浄ノズル３４及び右上洗浄ノズル３５がそれぞれ設けられる。左上洗浄ノズル３４及び右上洗浄ノズル３５は同じもので、その下方側に複数のノズル口２８を有し、水が噴出される際の反力により回転し、ノズル口２８から噴出される洗浄水を、後記の上段に設けられる食器かご内の食器の上側から吹き付けることにより食器を洗浄する。
【００２６】
前記洗浄槽２６の下方には、水を溜めるための貯留槽３６が形成される。この貯留槽３６には、洗浄工程時、或いは１回のすすぎ工程時に所定量の水が貯留され、貯留された所定量の水で洗浄或いはすすぎが行われる。また、貯留槽３６には、加熱手段としてのヒータ３７が設けられており、必要に応じて洗浄用の水及びすすぎ用の水を加熱し、洗浄或いはすすぎを行う。さらに、貯留槽３６の上方には、残菜フィルター３８が取り外し自在に配置され、食器から洗い落とされた残菜をその上面に留め、この後方の貯留槽３６内に流れ出ないようにする。
【００２７】
また、貯留槽３６の下方には、図５に示すようにその左側寄りに排水口３９が設けられており、排水時、洗浄ポンプの逆転によって、洗浄用の水或いはすすぎ用の水を排出する。なお、この排水口３９を洗浄槽２６の左側寄りに設けることにより、左側の洗浄槽２６が使用される片側洗浄モード時の排水を短時間で且つ効率よく行うことができる。
【００２８】
前記機械室２７には、洗浄ポンプ４０、給水電磁弁４１及び送風ファン４２等が設けられる。洗浄ポンプ４０は、正逆回転可能なポンプで、正回転時には、貯留槽３６内の洗浄水或いはすすぎ水を前記各種ノズルに送り、逆回転時には、貯留槽３６内の洗浄水或いはすすぎ水を前記排水口３９より外部に排出する。
【００２９】
給水電磁弁４１は、洗浄工程時或いはすすぎ工程時に貯留槽３６内に所定量の水を供給するためのもので、その一方端は図示しない水道栓に連結され、他方端は貯留槽３６に連結され、電磁弁が洗浄、すすぎ給水時に開放され、水道水圧によって貯留槽３６に給水する。また、給水電磁弁４１は、全量洗浄モード時には、５、６人用の食器を洗うために必要な水量が供給されるが、片側洗浄モード時には、それよりも少ない量の水が供給される。
【００３０】
送風ファン４２は、乾燥時に駆動されるファンで、シロッコファン等が用いられる。送風ファン４２の一方側の図示しない空気取入口は、機械室２７に連通され、本体ケース２１の底部に設けられる図示しない開口より外気を導入する。また、送風ファン４２の他方側は、乾燥ヒータ４３を内設する送風路４４を介して本体ケース２１と洗浄槽２６との側面間に形成される送風路に連通される。この送風路は、垂直な上向送風路４５、水平送風路４６及び垂直な下向送風路４７からなる逆Ｕ字形のもので、下向送風路４７の下方には、洗浄槽２６の下部内に開口する吐出口４８が設けられる。
【００３１】
そして、洗浄後の乾燥時、送風ファン４２が駆動されるとともに、必要に応じて乾燥ヒータ４３に通電され、乾燥空気を上向送風路４５、水平送風路４６及び下向送風路４７を介して下向送風路４７の下方に設けられる吐出口４８より、洗浄槽２６の下部内に導入し、洗浄後の食器を乾燥する。乾燥後の空気は、図示しない送風路を介して図１に示すように扉２２の上方に設けられる排気孔４９より排出される。なお、片側洗浄モード時では、食器の数が少ないためその送風量も少なくする。
【００３２】
前記機械室２７の前方の本体ケース２１面には、操作部５０が形成される。操作部５０には、オンオフの切り換えを行うスタートスイッチ５１、標準モードを設定する標準スイッチ５２、食器の汚れがひどいときに設定する念入りスイッチ５３、食器の汚れが少ないときに設定する簡単スイッチ５４、予洗いを必要とするときに設定するおこのみスイッチ５５、全量洗浄モード或いは片側洗浄モードを設定する容量スイッチ５６、乾燥を設定する乾燥スイッチ５７及び表示部５８等を備えている。
【００３３】
操作部５０のこれら各種操作スイッチと反対側には、図２に示すように各種制御素子５９を搭載したマイコン基板６０が設けられ、各種操作スイッチを操作することにより、洗浄ポンプ４０、給水電磁弁４１、或いは送風ファン４２等が駆動され、所定のモード、例えば、容量スイッチ５６を押すことにより給水電磁弁４１が貯留槽３６へ供給する水量を少な目にするとともに、左側に設けられる各種ノズルから水を噴出し、片側洗浄部側である洗浄槽２６の左側だけで片側洗浄を行う。
【００３４】
図２に下段に設置される下食器かご６１及び上段に設置される上食器かご６２を示す。下食器かご６１及び上食器かご６２は、洗浄槽２６内の両側面に水平に取り付けられる図示しないレールに沿って前後方向に出し入れ可能とされ、扉２２を開け、下食器かご６１及び上食器かご６２を引き出し、その中に各種皿６３、コップ６４及び茶碗６５等を入れ、次いで下食器かご６１及び上食器かご６２を押し込んでセットし、洗浄を開始する。洗い乾燥の終了後は、逆の手順で食器を取り出す。
【００３５】
次に、全量洗浄モードと片側洗浄モード時の水の切り換えについて説明する。前記洗浄ポンプ４０と左下洗浄ノズル２９、右下洗浄ノズル３０、左背面ノズル３１、右上背面ノズル３２、右下背面ノズル３３、左上洗浄ノズル３４及び右上洗浄ノズル３５の各ノズルとを連通する給水経路には、上流側に弁収納室７０が、その弁収納室７０直下流には後記の各種給水口７１が形成されるとともに、この各種給水口７１は、同じく後記の各種給水通路を介して前記各種ノズル２９〜３５に連通される。
【００３６】
前記各種給水口７１は、図８に示すように隔壁８０により４つに区画形成される給水口で、下ノズル用左給水口７２、下ノズル用右給水口７３、上ノズル用左給水口７４及び上ノズル用右給水口７５からなり、その下端部は平坦とされ、後記の開閉弁が当接可能な弁座部を形成する。
【００３７】
また、４つの各種給水口７１のそれぞれの上端部は、４つの各種給水通路に連通される。即ち、各種給水通路は、下ノズル用左給水通路７６、下ノズル用右給水通路７７、上ノズル用左給水通路７８及び上ノズル用右給水通路７９からなり、下ノズル用左給水口７２には、下ノズル用左給水通路７６が連通され、図５で矢印ａで示すように水が流れるとともに、該水ａは左下洗浄ノズル２９に供給される。また、下ノズル用右給水口７３には、下ノズル用右給水通路７７が連通され、図５で矢印ｂで示すように水が流れるとともに、該水ｂは、右下洗浄ノズル３０に供給される。
【００３８】
さらに、上ノズル用左給水口７４には、上ノズル用左給水通路７８が連通され、図５で矢印ｃで示すように水が流れるとともに、該水ｃは、左背面ノズル３１及び左上洗浄ノズル３４に供給され、上ノズル用右給水口７５には、上ノズル用右給水通路７９が連通され、図５で矢印ｄで示すように水が流れるとともに、該水ｄは、右上背面ノズル３２、右下背面ノズル３３及び右上洗浄ノズル３５に供給される。
【００３９】
前記弁収納室７０には、左開閉弁８１及び右開閉弁８２が配設される。左開閉弁８１及び右開閉弁８２は、図６及び図７に示すように、同形のものでそれぞれ弁体８３、中空円筒部８４及びＬ字状板体８５からなる。弁体８３は、半円形の板体で前記各種給水口７１の下端の弁座としての機能を有する平坦部に当接可能とされ、弁収納室７０から各種給水口７１への洗浄水を流通させたり、遮断したりする。その状態を図３に示す。即ち、左右開閉弁８１、８２がＲ位置にあるときには、給水口７１を開放しており、水は矢印で示すように流れ、Ｓ位置にあるときには、両方或いはいずれかの給水口７１を遮断している。
【００４０】
前記中空円筒部８４は、左右開閉弁８１、８２を上下方向のみの動きをさせるための案内部材であり、弁収納室７０内の底面より立設される案内棒８７に嵌合され、弁収納室７０内に洗浄水が流れ込むとその水流により弁体８３を案内棒８７に沿って上動させる。また、前記Ｌ字状板体８５は、その先端に水平方向に突き出た係止リブ８６を有する部材で、後記のソレノイドが係合可能とされる。
【００４１】
符号８８、８９は左ソレノイド、右ソレノイドであり、左ソレノイド８８及び右ソレノイド８９は、図９に示すように弁収納室７０の側壁に水平方向に取り付けられるとともに、その先端の係合突起９０、９０は、それぞれ弁収納室７０内に侵入されており、両ソレノイド８８、８９のそれぞれ、或いは同時の通電により、係合突起９０は、弁収納室７０内へより突き出され、左右開閉弁８１、８２のＬ字状板体８５の先端に水平方向に突き出た係止リブ８６に係合し、左右開閉弁８１、８２をＲ位置に保持して水流による左右開閉弁８１、８２の上動を禁止し、洗浄水の各種ノズルへの流れを許容する。
【００４２】
図１０は、片側洗浄モードが選択されるときの下段の下食器かご６１及び上段の上食器かご６２内に各種皿６３、コップ６４及び茶碗６５等を入れた状態を示すものである。このように下食器かご６１及び上食器かご６２は、左側領域Ｘ及び右側領域Ｙに区画されており、片側洗浄モード時には、左側領域Ｘのみに各種食器を入れて洗浄槽２６内に収納する。このように食器を収納配置しておくことにより、片側洗浄モード時の食器洗浄が有効に行われる。
【００４３】
図１１は、その変形例であり、下食器かご６１及び上食器かご６２ともその左側領域Ｘと右側領域Ｙとに２分割可能とするとともに、左側領域Ｘと右側領域Ｙとの間に区画壁９１を介在させるものである。この区画壁９１は、取り外し自在の平板状の部材からなり、区画壁９１を設けることにより洗浄水を左側の洗浄槽２６に集中させることができるため、その洗浄効果を高めることができる。
【００４４】
図１２に食器洗い乾燥機２０の制御装置１００を示す。制御装置１００は、メモリ１０２に予め格納しているプログラムを実行し、洗浄及び乾燥制御を行うマイクロコンピュータ１０１によって制御される。マイクロコンピュータ１０１には、操作部５０に配置されるスタートスイッチ５１、標準モードを設定する標準スイッチ５２、食器の汚れがひどいときに設定される念入りスイッチ５３、食器の汚れが少ないときに設定される簡単スイッチ５４、予洗いを必要とするときに設定されるおこのみスイッチ５５、全量洗浄或いは片側洗浄を設定する容量スイッチ５６、乾燥を設定する乾燥スイッチ５７からなる各種スイッチ１０３が連結され、選定された信号に基づいた洗浄、乾燥制御が実行される。
【００４５】
マイクロコンピュータ１０１には、洗浄水の水位を感知する水位センサ１０４、ドアセンサ１０５、洗浄水の温度を感知する水温センサ１０６、過熱センサ１０７からの検知信号が入力され、各信号に応じた適正な洗浄及び乾燥制御が行われる。即ち、洗浄工程時及びすすぎ工程時では、洗浄ポンプ４０が駆動されるとともに、所定時間給水電磁弁４１が開放され、所定の水量が貯留槽３６に貯留される。
【００４６】
また、片側洗浄モードが選定されると、全量洗浄モード時より少ない所定時間給水電磁弁４１が開放され、全量洗浄モード時より少ない所定の水量が貯留槽３６に貯留されるとともに、左側の各種ノズルのみに水が供給され、その少ない水量で片側洗浄モードが実行される。なお、片側洗浄モード時では、左側の洗浄槽のみで洗浄が行われるが、使用しない右側の洗浄槽内も汚れるため、片側洗浄モード時のすすぎ工程では、全てのノズルから水を噴出して洗浄槽２６の全体を洗うように設定される。
【００４７】
洗浄工程及びすすぎ工程後では、洗浄ポンプ４０が逆転し、 排水口３９から洗浄及びすすぎ後の水が排水される。さらに、乾燥工程時では、送風ファン４２が駆動され、洗浄後の各種食器を乾燥させる。そして、制御状態等を表示部５８に表示し、制御終了等をブザー１０８により報知する。
【００４８】
次いで、全量洗浄モードと片側洗浄モードについての洗浄水の流れについて説明する。全量洗浄モードが選択されると、所定時間給水電磁弁４１が開放され、所定の水量が貯留槽３６に貯留される。次いで、洗浄ポンプ４０が駆動され貯留槽３６内の水が給水経路に供給される。この時左ソレノイド８８及び右ソレノイド８９は通電され、係合突起９０、９０を押し出しているため、左右開閉弁８１、８２は上動を禁止されている。その結果、洗浄ポンプ４０からの水は、４つの給水通路である下ノズル用左給水通路７６、下ノズル用右給水通路７７、上ノズル用左給水通路７８及び上ノズル用右給水通路７９に流れ、全てのノズルである左下洗浄ノズル２９、右下洗浄ノズル３０、左背面ノズル３１、右上背面ノズル３２、右下背面ノズル３３、左上洗浄ノズル３４及び右上洗浄ノズル３５から洗浄槽２６全体に噴射される。
【００４９】
洗浄後は数回のすすぎ工程が同様に実行され、全ての食器を洗浄する。なお、必要に応じて乾燥工程が行われる。乾燥は、乾燥ヒータ４３を必要に応じて通電し、送風ファン４２を駆動することにより行われる。乾燥空気は、送風路４４、垂直な上向送風路４５、水平送風路４６及び垂直な下向送風路４７を経て、下向送風路４７の下方に設けられる吐出口４８より洗浄槽２６内に供給され、洗浄槽２６内の食器を乾燥させる。乾燥後の空気は、扉２２の上方に設けられる排気孔４９より排出される。
【００５０】
そして、片側洗浄モードが選択されると、全量洗浄モード時より少ない所定時間給水電磁弁４１が開放され、全量洗浄モード時より少ない所定の水量が貯留槽３６に貯留される。次いで、洗浄ポンプ４０が駆動され貯留槽３６内の水が給水経路に供給される。この時左ソレノイド８８は通電され、右ソレノイド８９は非通電とされる。そのため、左開閉弁８１は上動を禁止され、洗浄ポンプ４０からの水は、下ノズル用左給水通路７６及び上ノズル用左給水通路７８へ流れ、左下洗浄ノズル２９、左背面ノズル３１及び左上洗浄ノズル３４から左側の洗浄槽２６に噴射される。そして、右側の各種ノズルからの噴射は休止される。その場合、図１０及び図１１に示すように予め少ない食器が上下段の食器かご６１、６２の左側にセットされているため、これら左側にセットされている食器を少ない水で有効に洗浄する。
【００５１】
洗浄後は数回のすすぎ工程が行われるが、この場合、左ソレノイド８８に加え、右ソレノイド８９も通電し、４つの給水通路である下ノズル用左給水通路７６、下ノズル用右給水通路７７、上ノズル用左給水通路７８及び上ノズル用右給水通路７９に水を流し、全てのノズルから水を噴出し、洗浄槽２６の全てを食器とともに洗浄する。また、すすぎ工程後の乾燥工程では、送風量を少なくし、少ない送風で乾燥させる。
【００５２】
本願発明は、上記実施例の構成に限定されるものではなく、発明の要旨を逸脱しない範囲において適宜設計変更可能である。
【図面の簡単な説明】
【００５３】
【図１】本願発明の食器洗い乾燥機の正面図
【図２】図１のＡ−Ａ線断面図
【図３】本願発明の開閉弁近傍を示す拡大断面図
【図４】本願発明の食器洗い乾燥機の扉のない状態を示す正面図
【図５】本願発明の食器洗い乾燥機の洗浄槽の一部を示す平面図
【図６】本願発明の開閉弁の平面図
【図７】図６のＤ−Ｄ線断面図
【図８】図３のＢ−Ｂ線断面図
【図９】図３のＣ−Ｃ線断面図
【図１０】片側洗浄モード時の食器かごへの食器の搭載状態を示す平面図
【図１１】片側洗浄モード時の食器かごへの食器の搭載状態を示す変形例の平面図
【図１２】本願発明の食器洗い乾燥機の制御装置を示す概略図
【図１３】従来例の食器洗い乾燥機の断面図
【符号の説明】
【００５４】
２０…食器洗い乾燥機        ２１…本体ケース
２２…扉                    ２３…脚
２４…ヒンジ                ２５…ワンプッシュボタン
２６…洗浄槽                ２７…機械室
２８…ノズル口              ２９…左下洗浄ノズル
３０…右下洗浄ノズル        ３１…左背面ノズル
３２…右上背面ノズル        ３３…右下背面ノズル
３４…左上洗浄ノズル        ３５…右上洗浄ノズル
３６…貯留槽                ３７…ヒータ
３８…残菜フィルター        ３９…排水口
４０…洗浄ポンプ            ４１…給水電磁弁
４２…送風ファン            ４３…乾燥ヒータ
４４…送風路                ４５…上向送風路
４６…水平送風路            ４７…下向送風路
４８…吐出口                ４９…排気孔
５０…操作部                ５１…スタートスイッチ
５２…標準スイッチ          ５３…念入りスイッチ
５４…簡単スイッチ          ５５…スイッチ
５６…容量スイッチ          ５７…乾燥スイッチ
５８…表示部                ５９…種制御素子
６０…マイコン基板          ６１…下食器かご
６２…上食器かご            ６３…皿
６４…コップ                ６５…茶碗
７０…弁収納室              ７１…給水口
７２…下ノズル用左給水口    ７３…下ノズル用右給水口
７４…上ノズル用左給水口    ７５…上ノズル用右給水口
７６…下ノズル用左給水通路  ７７…下ノズル用右給水通路
７８…上ノズル用左給水通路  ７９…上ノズル用右給水通路
８０…隔壁                  ８１…左開閉弁
８２…右開閉弁              ８３…弁体
８４…中空円筒部            ８５…Ｌ字状板体
８６…係止リブ              ８７…案内棒
８８…左ソレノイド          ８９…右ソレノイド
９０…係合突起              ９１…区画壁
１００…制御装置            １０１…マイクロコンピュータ
１０２…メモリ              １０３…操作スイッチ
１０４…水位センサ          １０５…ドアセンサ
１０６…水温センサ          １０７…過熱センサ
１０８…ブザー
【図１】
2005288047.tif 000003
【図２】
2005288047.tif 000004
【図３】
2005288047.tif 000005
【図４】
2005288047.tif 000006
【図５】
2005288047.tif 000007
【図６】
2005288047.tif 000008
【図７】
2005288047.tif 000009
【図８】
2005288047.tif 000010
【図９】
2005288047.tif 000011
【図１０】
2005288047.tif 000012
【図１１】
2005288047.tif 000013
【図１２】
2005288047.tif 000014
【図１３】
2005288047.tif 000015